(57)【特許請求の範囲】
【請求項１】
巻回されたラップフィルムが収納される収納部と、前記収納部の開口部から引き出されたラップフィルムを所定長に切断する切断部材とが設けられたラップフィルムの収納ケースにおいて、
前記収納部の開口部を開閉する上蓋に、Ｖ字形状に突出する先部を有して、上蓋を閉じたときに収納部の前側板と重なる掩蓋片が設けられ、前記切断部材は前記掩蓋片の先部に沿って取付けられており、
前記前側板の前面で、且つ前記前側板に掩蓋片が重ねられたときに前記切断部材のＶ字形状の頂部の先端が位置する部分に、下側に向けて凸形状に形成された凹部が設けられており、
前記凹部内には、前記凹部以外の領域とは異なる色彩または模様、図形あるいは文字から成る目印が印刷されていることを特徴とするラップフィルムの収納ケース。
【請求項２】
前記凹部が形成されている収納部の外面で且つ前記凹部よりも前記開口部側に寄った位置に、ラップフィルムを密着させて収納部内へのラップフィルムの戻りを防止する戻り防止手段が設けられている請求項１記載のラップフィルムの収納ケース。
【発明の詳細な説明】
【０００１】
【発明の属する技術分野】
本発明は家庭用または業務用などのラップフィルムが巻回状態で収納されるラップフィルムの収納ケースに係り、特に、ラップフィルムを所定長に切断した後にケース側に残ったラップフィルムの先端を指で掴みやすくしたラップフィルムの収納ケースに関する。
【０００２】
【従来の技術】
家庭用や業務用のラップフィルムは、紙製の筒状コアに巻かれて、収納ケース内に収納されている。収納ケースは一般に紙製であり、巻回状態のラップフィルムを収納する収納部と、この収納部の開口部を開閉する上蓋とを有している。そして、上蓋から連設された掩蓋片の先部などに、ラップフィルムを切断するための切断部材が設けられている。
【０００３】
ラップフィルムを使用するときには、上蓋を開口部から離して収納部の開口部を開放し、開口部からラップフィルムを所望の長さだけ引き出した後に、上蓋を閉じる。このときに、収納部の前側板と掩蓋片とで挟まれたラップフィルムを、前記切断部材で切断する。
【０００４】
【発明が解決しようとする課題】
従来のラップフィルムの収納ケースでは、所望の長さでラップフィルムを切断し、そのまま上蓋を閉じ、次に再度ラップフィルムを所定長だけ引き出そうとするとき、収納ケース側に残っているラップフィルムの先端部を指で掴むことが必要である。
【０００５】
しかし、ラップフィルムは厚さ１０μｍ程度の薄いものであるために、先端を指で掴みにくく、前記先端がケースの外面に密着してしまい、先端を指で掴めないことがある。
【０００６】
特に、最近のラップフィルムの収納ケースでは、収納ケースの外面に戻り防止手段が設けられている。この戻り防止手段は、若干の粘着性を呈してラップフィルムの先部を密着して保持するもの、または表面を平滑にし、平面密着とラップフィルムのわずかな粘着性によりラップフィルムを留めるものなどがある。この戻り防止手段を設けると、切断部材により所望長のラップフィルムを切断した後に、ケース側に残っているラップフィルムの先部をケースの外面に留め、ケース内への戻りを防止できる。
【０００７】
ただし、この戻り防止手段が設けられていると、ケース内から延びるラップフィルムの先部が戻り防止手段に保持されて、ラップフィルムの先端がケース外面に密着していることが多くなり、前記先端部分を指で掴むのが困難になる。
【０００８】
本発明は上記従来の課題を解決するものであり、ラップフィルムを掴んで引き出そうとするときに、ラップフィルムの先端をケースの外面で容易に掴めるようにしたラップフィルムの収納ケースを提供することを目的としている。
【０００９】
【課題を解決するための手段】
本発明は、巻回されたラップフィルムが収納される収納部と、前記収納部の開口部から引き出されたラップフィルムを所定長に切断する切断部材とが設けられたラップフィルムの収納ケースにおいて、
前記収納部の開口部を開閉する上蓋に、Ｖ字形状に突出する先部を有して、上蓋を閉じたときに収納部の前側板と重なる掩蓋片が設けられ、前記切断部材は前記掩蓋片の先部に沿って取付けられており、
前記前側板の前面で、且つ前記前側板に掩蓋片が重ねられたときに前記切断部材のＶ字形状の頂部の先端が位置する部分に、下側に向けて凸形状に形成された凹部が設けられており、
前記凹部内には、前記凹部以外の領域とは異なる色彩または模様、図形あるいは文字から成る目印が印刷されていることを特徴とするものである。
【００１０】
本発明では、切断部材によりラップフィルムを切断した後に、ケース側に残るラップフィルムの先端が、収納部の外面の凹部の前方に位置している。よって、指の先または爪を前記凹部内に這わせることにより、ラップフィルムの先端部を指で摘まみやすくなる。
【００１１】
本発明は、特に、前記凹部が形成されている収納部の外面で且つ前記凹部よりも前記開口部側に寄った位置に、ラップフィルムを密着させて収納部内へのラップフィルムの戻りを防止する戻り防止手段が設けられている場合に有効である。
【００１２】
この場合には、収納部の開口部から引き出されているラップフィルムの先部が前記戻り防止手段に留められているため、収納部内から延びるラップフィルムの先端部が収納部の外面に密接しやすい。よって前記凹部を設けてラップフィルムの先端部を指で掴みやすくすることが有効である。
【００１３】
なお、戻り防止手段は、若干の粘着性を呈する粘着層が収納部の外面に設けられ、ラップフィルムを粘着力で収納部の外面に留めるもの、または収納部の外面に、表面が平滑な樹脂シートが貼り付けられ、または表面が平滑な樹脂層がコーティングされて、ラップフィルムを密着保持するものなどである。
【００１５】
本発明では、前側板に形成された凹部の前方に切断部材の先端が存在しているため、切断部材の先端でラップフィルムを切断したときに、ケース側に残されたラップフィルムの先端部は、必ず前記凹部の前方に位置することになる。したがって、切断後にラップフィルムの先端部が指で摘まみやすい位置に存在することになる。
【００１７】
前記目印を印刷形成しておくと、ケース表面における凹部の位置を直ちに知ることができ、この目印部分に指や爪を這わせることにより、ラップフィルムの先端部を指で確実に摘まむことができる。
【００１８】
【発明の実施の形態】
図1は本発明のラップフィルムの収納ケースの第１の実施の形態を示す斜視図、図２は図１のＩＩ−ＩＩ線の断面図、図３は収納部の前側板の拡大断面図、図４は本発明の他の実施の形態を示す部分斜視図である。
【００１９】
図1に示す収納ケース１は紙製であり、箱状の収納部２を有している。収納部２は、前側板３、底板４、背板５、両端板６ａ、６ｂを有し、上部に開口部７が形成された５面体である。
【００２０】
前記背板５の上縁には、ヒンジ部８を介して上蓋９が連設されており、この上蓋９の先部には掩蓋片１０が直角に曲げられて一体に形成されている。掩蓋片１０の先部１０ａはＶ字形状であり、このＶ字形状に沿って切断部材１２が取り付けられている。切断部材１２は、金属板の前縁部に鋸刃が一体に形成されているものである。上蓋９と掩蓋片１０の両側方には側蓋片１３ａと１３ｂが一体に取り付けられている。
【００２１】
図２に示すように、収納部２内には、紙製の円筒状コア１５の外周にラップフィルムＦが巻回されたものが収納されている。
【００２２】
前記収納部２の前側板３の前面では、底板４に近い部分に凹部３ａが形成されている。この凹部３ａは紙製の前側板３に対して加圧成形することによりエンボス状に形成されているものである。このエンボス加圧加工は、収納ケース１が組み立てられる前の紙材の展開状態において行われる。図２に示すように、上蓋９が開口部７に対して閉められ、掩蓋片１０が前側板３に重ねられた状態において、切断部材１２の先端１２ａ（切断部材１２の前縁部のＶ字状の頂点の部分）が、凹部３ａの前方に位置する。
【００２３】
収納部２の前側板３の前面において、前記凹部３ａよりも開口部７寄りの位置には、戻り防止手段１６が設けられている。この戻り防止手段１６は、若干の粘着力を発生する粘着層により形成されている。
上記収納ケース１からラップフィルムＦを引き出す動作を説明する。
【００２４】
収納ケース１の上蓋９を上方に持ち上げて収納部２の開口部７を開放し、巻回されたラップフィルムＦを開口部７と上蓋９との間から前方へ引き出す。ラップフィルムＦを所望の長さだけ引き出した後に、図２に示すように上蓋９を閉め、前側板３と掩蓋片１０との間にラップフィルムＦを挟む。このとき掩蓋片１０を前側板３に向けて押し付けると、ラップフィルムＦは戻り防止手段１６に加圧されて軽い粘着力で戻り防止手段１６に止められる。
【００２５】
そのまま、ラップフィルムＦを引っ張りながら、収納ケース１を図２において時計方向へ捻ると、切断部材１２の先端の鋸刃によりラップフィルムＦが切断される。
【００２６】
図２に示すように、上蓋９を閉じたときに、切断部材１２の先端１２ａが凹部３ａの前方に位置しているため、切断後に収納ケース１側に残り、前側板３の前方に位置しているラップフィルムＦの切断端となる端部Ｆａは、図３に示すように凹部３ａの前方に位置している。
【００２７】
次に、収納部２内から新たにラップフィルムＦを引き出すときには、上蓋９を図２において破線で示す位置まで持ち上げ、指先または爪の先を凹部３ａ内に下から上に這わせる。図３に示すように、ラップフィルムＦの端部Ｆａは凹部３ａの前方に位置しているため、凹部３ａに爪などを這わせることにより、端部Ｆａを前側板３から容易に剥がして指で掴めるようになる。
【００２８】
ラップフィルムＦをケース内から確実に引き出すためには、ラップフィルムＦの幅方向の中心部分を指で掴むことが好ましい。一方、図１に示すように、戻り防止手段１６は、前側板３の幅方向の中央部に位置しており、ラップフィルムＦの幅方向の中心部分は戻り防止手段１６に粘着されて留められ、幅方向の中心の先端Ｆａは前側板３の前方に密着しやすい。しかし、戻り防止手段１６の下方に凹部３ａが位置しているため、戻り防止手段１６で保持されている部分のフィルム端部Ｆａを手で保持しやすくなり、ラップフィルムＦの幅方向の中心部を確実に掴めるようになる。
【００２９】
図４は、本発明のラップフィルムの収納ケースの参考例を示す部分斜視図である。
【００３０】
この参考例では、前側板３の前面において、戻り防止手段１６と底板４との間に凹部３ｂ、３ｃ、３ｃが形成されている。凹部３ｂは、ほぼ楕円形の円周に沿う部分が凹状とされ、その両側の凹部３ｃ、３ｃは上下方向に延び、且つ凹部３ｃ、３ｃが互いに平行な直線形状に形成されている。
【００３１】
図４に示すように、戻り防止手段１６の下方位置において、凹部が複数個所設けられていると、いずれかの凹部に爪を沿わせることにより、ラップフィルムＦの端部Ｆａを前側板３から容易に剥がすことができる。
【００３２】
また、図１および図４に示すように、ラップフィルムＦの端部Ｆａが位置する部分において前側板３に凹部が形成されていると、この凹部を目印として、ラップフィルムＦの端部Ｆａを剥がすことができ、ラップフィルムの端部を確実に指で摘まむことができるようになる。
【００３３】
特に、凹部３ａ、３ｂ、３ｃの底部に、収納ケースの他の領域と異なる色彩の印刷を施しておくと、前記凹部を認識でき、凹部を目印としてラップフィルムＦの端部Ｆａを摘まみやすくなる。あるいは、凹部の底部に他の領域とは異なる模様、図形または記号、文字などの目印を付してもよいし、または凹部の外周部分に、帯状の色彩を印刷して目印としてもよい。
【００３４】
【発明の効果】
以上のように本発明では、収納部の外面において切断されたラップフィルムの端部が位置する部分に凹部が形成されているため、この凹部に指の先や爪を這わせることにより、ラップフィルムの端部を指で確実に摘まめるようになり、ラップフィルムを収納部内から引き出しやすくなる。
【図面の簡単な説明】
【図１】本発明のラップフィルムの収納ケースの実施の形態を示す斜視図、
【図２】図１のＩＩ−ＩＩ線の断面図、
【図３】前側板の詳細を示す拡大断面図、
【図４】本発明のラップフィルムの収納ケースの参考例を示す部分斜視図、
【符号の説明】
１  収納ケース
２  収納部
３  前側板
３ａ、３ｂ、３ｃ  凹部
４  底板
５  背板
７  開口部
９  上蓋
１０  掩蓋片
１２  切断部材
１６  戻り防止手段
Ｆ  ラップフィルム
Ｆａ  ラップフィルムの端部
【図１】
0004107707.tif 000002
【図２】
0004107707.tif 000003
【図３】
0004107707.tif 000004
【図４】
0004107707.tif 000005